(57)【要約】      （修正有）【課題】ドラム容器の洗浄を安定して行う洗浄装置の提供。【解決手段】洗浄部１０ａと洗浄液貯蔵部１０ｂからなり、前記洗浄部１０ａは、ドラム容器を横たわった状態で保持するとともに、ドラム容器の軸を中心に一方向へ回転させる２本の回転ユニットと、開口部を通してドラム容器の内部に挿入され、ドラム容器の内周面へ洗浄液を噴射する内周面洗浄ユニットと、内底面へ洗浄液を噴射する内底面洗浄ユニットとを有し、更に、前記ドラム容器の外部に配され、外周面へ前記洗浄液を噴射する外周面洗浄ユニットを有し、更に、洗浄部１０ａは０°以上１５度以下に角度を調整できることを特徴とする洗浄装置。【選択図】図１
2015100749.tif 000002
【特許請求の範囲】
【請求項１】
一端側が開口しているドラム容器の洗浄装置であり、
前記洗浄装置は洗浄部と洗浄液貯蔵部からなり、
前記洗浄部は、前記ドラム容器を横たわった状態で保持するとともに、前記ドラム容器の軸を中心に一方向へ前記ドラム容器を回転させる２本の回転ユニットと、
開口部を通して前記ドラム容器の内部に挿入され、前記ドラム容器の内周面へ洗浄液を噴射する内周面洗浄ユニットと、前記ドラム容器の内底面へ前記洗浄液を噴射する内底面洗浄ユニットとを有し、
また、前記ドラム容器の外部に配され、前記ドラム容器の外周面へ前記洗浄液を噴射する外周面洗浄ユニットを有し、
前記内周面洗浄ユニットは、ドラム容器の中心軸より低い位置に配する場合は前記洗浄液を鉛直方向から内周面洗浄ユニットと内周面との最短距離を結ぶ線の角度までの範囲内に噴射し、ドラム容器の中心軸より高い位置に配する場合は前記洗浄液を鉛直方向より０°から９０°の範囲内に噴射し、
前記外周面洗浄ユニットは、ドラム容器の中心軸より高い位置に配され、噴出される前記洗浄液は、前記外周面洗浄ユニットから洗浄面に対し９０°から鉛直方向側の接線まで傾いた角度範囲内に噴射し、
前記内底面洗浄ユニットは、先端が略Ｌ字形状を有しており、曲がり初めから先端よりドラム容器の内底面へ前記洗浄液を噴出し、
更に、前記洗浄部は内部に前記ドラム容器を保持した状態で前記ドラム容器における底面側が開口側より高くなるよう０°以上１５°以下に角度を調整できることを特徴とする洗浄装置。
【請求項２】
前記内周面洗浄ユニットと前記内底面洗浄ユニットと前記外周面洗浄ユニットには、前記洗浄液を噴射する複数の噴射ノズルが規則的に設けられ、
前記噴射ノズルは、均等扇形タイプであり、隣り合う前記噴射ノズルから噴射された前記洗浄液が互いに接触しないように配されていることを特徴とする請求項１に記載の洗浄装置。
【請求項３】
前記内周面洗浄ユニットと前記内底面洗浄ユニットと前記外周面洗浄ユニットは、前記洗浄液を噴射して前記ドラム容器を洗浄した後、圧縮空気を噴射することを特徴とする請求項１又は請求項２に記載の洗浄装置。
【発明の詳細な説明】
【技術分野】
【０００１】
本発明は、オープンドラムといった一方が開口している容器を洗浄する洗浄装置に関する。
【背景技術】
【０００２】
従来より塗料など液状の物質を収容する容器としてオープンドラム（以下、ドラム容器と称する）が用いられている。そして、当該塗料などを使用し終わり、空となったドラム容器は、洗浄されて再利用されている。
【先行技術文献】
【特許文献】
【０００３】
【特許文献１】特開２０１１‐２５５３１５号公報
【発明の概要】
【発明が解決しようとする課題】
【０００４】
ドラム容器の洗浄方法としては、手作業で行うことによる作業者への負担低減や効率の向上のために様々な装置が提案されてきた。例えば特許文献１では、ドラムの内外に洗浄液を噴射する洗浄ユニットを配し、内部と外部の両面から洗浄液を噴射することにより生じる圧力を相殺し、噴射力を高めても安定して洗浄できるとしており、また、洗浄対象面からの洗浄液の反射に伴う洗浄効率の低下を回避するために洗浄液の噴射する角度を鉛直方向と逆の方向から角度をずらしたりしていた。更に、装置内部において、ドラム容器の角度を変化させ、容器内部への洗浄液残りを防止していた。
【０００５】
しかし、洗浄対象が塗料などの有機物等である場合、洗浄液として溶剤を使用する場合もあり、常に新しい溶剤を洗浄液として使用する場合はコストがかかるため、使用した洗浄液も再利用している場合が多い。この場合、洗浄ユニットが詰まりを起こす問題があり、上記特許文献１の洗浄装置では、いずれかの洗浄ユニットが詰まった場合、洗浄液の噴射により生じた圧力の相殺ができず、ドラム容器が設置箇所から外れたりする問題があり、必ずしも安定して洗浄を行えるものではなかった。また、洗浄装置内部も汚れるため、例えメンテナンス等で内部を洗浄していても、長期の使用において装置内部でのドラム容器の角度調節がスムーズに作動しなくなる虞もあった。
【０００６】
本発明は上記課題を解決するものであり、ドラム容器をより安定して洗浄を行うことのできる洗浄装置を提供するものである。
【課題を解決するための手段】
【０００７】
（１）一端側が開口しているドラム容器の洗浄装置であり、前記洗浄装置は洗浄部と洗浄液貯蔵部からなり、前記洗浄部は、前記ドラム容器を横たわった状態で保持するとともに、前記ドラム容器の軸を中心に一方向へ前記ドラム容器を回転させる２本の回転ユニットと、開口部を通して前記ドラム容器の内部に挿入され、前記ドラム容器の内周面へ洗浄液を噴射する内周面洗浄ユニットと、前記ドラム容器の内底面へ前記洗浄液を噴射する内底面洗浄ユニットとを有し、また、前記ドラム容器の外部に配され、前記ドラム容器の外周面へ前記洗浄液を噴射する外周面洗浄ユニットを有し、前記内周面洗浄ユニットは、ドラム容器の中心軸より低い位置に配する場合は前記洗浄液を鉛直方向から内周面洗浄ユニットと内周面との最短距離を結ぶ線の角度までの範囲内に噴射し、ドラム容器の中心軸より高い位置に配する場合は前記洗浄液を鉛直方向より０°から９０°の範囲内に噴射し、前記外周面洗浄ユニットは、ドラム容器の中心軸より高い位置に配され、噴出される前記洗浄液は、前記外周面洗浄ユニットから洗浄面に対し９０°から鉛直方向側の接線まで傾いた角度範囲内に噴射し、前記内底面洗浄ユニットは、先端が略Ｌ字形状を有しており、曲がり初めから先端よりドラム容器の内底面へ前記洗浄液を噴出し、更に、前記洗浄部は内部に前記ドラム容器を保持した状態で前記ドラム容器における底面側が開口側より高くなるよう０°以上１５°以下に角度を調整できることを特徴とする洗浄装置。
（２）また、前記内周面洗浄ユニットと前記内底面洗浄ユニットと前記外周面洗浄ユニットには、前記洗浄液を噴射する複数の噴射ノズルが規則的に設けられ、前記噴射ノズルは、均等扇形タイプであり、隣り合う前記噴射ノズルから噴射された前記洗浄液が互いに接触しないように配されていることが好ましい。
（３）更に、前記内周面洗浄ユニットと前記内底面洗浄ユニットと前記外周面洗浄ユニットは、前記洗浄液を噴射して前記ドラム容器を洗浄した後、圧縮空気を噴射すると好ましい。
【発明の効果】
【０００８】
本発明の洗浄装置は、洗浄液の噴射方向を略下向きとしていることで洗浄対象であるドラム容器を支持する回転ユニットへ押し付ける効果を奏し、安定してドラム容器を洗浄することができる。また、洗浄装置における洗浄部はそれ自体が角度を調整ことができるため、装置内部の各ユニットの角度変化の駆動を必要とせず、長期使用による角度変更における駆動不良を起こさない。
【０００９】
また、隣り合う噴出ノズルから噴射される洗浄液が互いに接触しないように配することで、洗浄対象面上以外での洗浄液の接触による洗浄力の低下を防ぎ、効率的に洗浄することができる。
【００１０】
更に、噴出ノズルから洗浄液を噴出し、ドラム容器を洗浄した後、同噴出ノズルより圧縮空気を噴出することで、ドラム容器の乾燥を行えると同時に、洗浄ユニット内に残留している洗浄液を排出することができ、噴出ノズルの詰まりを良好に防止することができる。
【図面の簡単な説明】
【００１１】
【図１】本発明の洗浄装置であり、（Ａ）は洗浄部が水平状態にあるときの概要を示す説明図であり、（Ｂ）は洗浄部が斜め状態にあるときの概要を示す説明図である。
【図２】洗浄装置における洗浄部の概要を示す説明図であり、（Ａ）は正面から見た図、（Ｂ）は側面から見た図である。
【図３】各洗浄ユニットから噴出される洗浄液の様子を示す説明図であり、（Ａ）は洗浄領域が並行状で、（Ｂ）は洗浄領域が千鳥状の噴射形態である。
【図４】一実施形態における洗浄液及び圧縮空気の流れを示す説明図である。
【発明を実施するための形態】
【００１２】
図１及び図２に示すように、ドラム容器２０の洗浄装置１０は、洗浄部１０ａと、洗浄液貯蔵部１０ｂからなり、前記洗浄部１０ａは少なくとも２つの回転ユニット１１（回転ローラ１１ａ、モーター１１ｂ）と、洗浄ユニット１２（内底面洗浄ユニット１２ａ、内周面洗浄ユニット１２ｃ、外周面洗浄ユニット１２ｂ）を有する。また、図１の（Ａ）と（Ｂ）に示すように、洗浄部１０ａは角度調整部１５によって角度θの範囲で角度調整が可能であり、これによって洗浄部１０ａ内の洗浄ユニット１２や回転ユニット１１ごとドラム容器２０の角度を変化させることができる。なお、回転ローラ１１ａにはドラム容器２０の開口側に対応する箇所にドラム容器を支えるストッパー１６を設けても良い。
洗浄液１４は洗浄液貯蔵部１０ｂよりメイン配管１３を通り洗浄ユニット１２へ送られる。
また、回転ローラ１１ａは軸を中心に回転自在となっており、モーター１１ｂの駆動により、２本の回転ローラ１１ａは同一方向へ回転する。尚、一端側が開口、他端側が閉口（底）であるドラム容器２０は回転ローラ１１ａの上に横たわる状態で配される。この結果、回転ローラ１１ａ上に配されたドラム容器２０は、ドラム容器２０の軸を中心に回転する。
【００１３】
図３に示すように、洗浄ユニット１２には洗浄液１４を噴出する複数の噴出ノズルが一定間隔で配され、洗浄面が洗浄領域１８となるように洗浄液１４を噴出する。
【００１４】
図４に示すように、洗浄液１４は洗浄液貯蔵部１０ｂに貯められ、洗浄液搬送配管３１ｂを通して洗浄ユニットに供給される。また、洗浄液１４は再利用されるが、新しい洗浄液１４は洗浄液供給配管３１ａより供給され、再利用できないほどに汚れた洗浄液１４は排液として排液用配管３３より排出される。また、洗浄作業後に各洗浄ユニットより噴射する圧縮空気は圧縮空気配管３２より供給される。尚、洗浄液供給配管３１ａは電磁弁４１ｂで制御されて新しい洗浄液１４を供給し、洗浄液搬送配管３１ｂと圧縮空気配管３２は電磁弁４１ａで切り換えの制御が行われ、排液用配管３３は電磁弁４１ｃで制御され、汚れた洗浄液（排液）を排除している。
【００１５】
図１に示すように洗浄部１０ａは、角度θ０〜θ１の範囲で角度調整が可能である。前記角度範囲は、０°以上１５°以下の範囲で調整可能であり、洗浄部１０ａ自体が角度を持つことで洗浄部内部での各駆動を洗浄作業のみとすることができる。その結果、例え使用済みの洗浄液を再利用して洗浄装置内部が汚れたとしても角度調節機構には影響が出ず、常に角度調節がスムーズに行える。
尚、該角度調整によってセットされたドラム容器２０は、開口側より閉口（底）側が高い位置関係となる。この結果、洗浄時にドラム容器２０内に噴出された洗浄液が残留せず、洗浄が効率的に行われる。
【００１６】
洗浄ユニット１２には、内底面洗浄ユニット１２ａ、外周面洗浄ユニット１２ｂ、内周面洗浄ユニット１２ｃの３種からなり、それぞれ洗浄液を噴出する噴出ノズル１７を複数配されている。
【００１７】
内底面洗浄ユニット１２ａは、ドラム容器の内側底面を洗浄するためのものである。また、配管の形状は先端が略Ｌ字状であり、前記噴出ノズル１７はＬ字形状の曲がり初めから先端にかけて規則的に、且つドラム容器をセットした場合のドラム容器側に配されている。
【００１８】
外周面洗浄ユニット１２ｂはドラム容器の外周面を洗浄し、内周面洗浄ユニット１２ｃはドラム容器の内周面を洗浄するものである。それぞれ前記噴出ノズル１７を規則的に配しており、外周面洗浄ユニット１２ｂは配管の先端部を湾曲させ、ドラム容器の外側底部へ洗浄液を噴出可能なようにしても良い。
【００１９】
また、内周面洗浄ユニット１２ｃから噴出される洗浄液の向きは、内周面洗浄ユニット１２ｃがドラム容器２０の中心軸２０ａより低い位置に配される場合は、洗浄液を鉛直方向から内周面洗浄ユニットと内周面との最短距離を結ぶ線の角度までの範囲内に噴射し、一方、ドラム容器２０の中心軸２０ａより高い位置に配する場合は、前記洗浄液を鉛直方向より０°から９０°の範囲内に噴射する。
更に、外周面洗浄ユニット１２ｂは、ドラム容器２０の外側で、ドラム容器２０の中心軸２０ａより高い位置に配され、また、外周面洗浄ユニット１２ｂより噴出される洗浄液は、前記外周面洗浄ユニット１２ｂから洗浄面に対し９０°から鉛直方向側の接線まで傾いた角度範囲内に噴射する。
これらのような構成とすることで、噴出された洗浄液は、洗浄面への接触後、基本的に鉛直方向に跳ね返り、ドラム容器にかかる圧力のベクトルが略鉛直方向となり、ドラム容器を回転ローラ１１ａに押さえつける効果を奏し、より安定して洗浄作業が進行する。また、いずれかの洗浄ユニットがつまりを起こして洗浄液が噴出されなかった場合であっても、洗浄液により生じる圧力のベクトルは基本的に鉛直方向を中心としているので、ドラム容器２０が回転ローラ１１ａ上から脱落する虞がなく、安定して洗浄作業が進行される。
【００２０】
更に、本発明における洗浄ユニット１２は、内底面洗浄ユニット１２ａが１本と、内周面洗浄ユニット１２ｃ及び外周面洗浄ユニット１２ｂが内底面洗浄ユニット１２ａを中心に左右対称に１本ずつ以上の少なくとも合計５本よりなる。尚、内周面洗浄ユニット１２ｃが内底面洗浄ユニット１２ａを中心に左右対称に２本ずつ配した合計７本とするとより好ましい。
【００２１】
洗浄液を噴出する噴出ノズル１７は均等扇形タイプが好ましい。前記均等扇形タイプとは、噴出ノズル１７より洗浄液１４が放射状ではなく扇形状に噴出され、図３に示すように洗浄液が洗浄対象への接触領域の形状が円形状とはならず略楕円形状となるものである。
均等扇形タイプとするには、例えば噴出ノズル１７における噴出口の形状を、線形、楕円形、長方形を基準とした形状とするとよい。
また、隣り合う噴出ノズルより噴出された洗浄液同士が洗浄対象に接触する前に互いに接触した場合、互いに接触した洗浄液は勢いが極端に減少し、洗浄性能が低下する。この為、隣あう噴出ノズルより噴出された洗浄液同士が空中で接触しないように噴出ノズルを配することが好ましい。この配置の例としては、各洗浄領域１８における長軸１８ａが平行となるように噴出ノズルを配したり、洗浄領域１８の中心点１８ｂが千鳥状になるよう噴出ノズルの噴出向きを交互にずらして配することが挙げられる。尚、洗浄するドラム容器のサイズ変化によって洗浄面と噴出ノズル間の距離が変化した場合、洗浄領域１８の面積の変化に沿って調節がしやすいということから、隣あう洗浄領域１８における長軸１８ａが平行となるように噴出ノズルを配することが好ましい。但し、洗浄箇所に隙間ができないよう、洗浄時に隣あう洗浄領域１８が重複する重複洗浄領域１９を設けるようにすることが好ましい。このような構成にすると、噴出された洗浄液の洗浄能力を充分に発揮することができる。
【００２２】
更に、噴出ノズル１７は、洗浄液を噴出してドラム容器を洗浄した後に圧縮空気を噴出することが好ましい。このようにすると、ドラム容器の乾燥作業が行え、更に、ドラム容器を洗浄した洗浄液を再利用する場合、該洗浄液中にドラム容器に付着していた汚れが混入するため、その汚れが洗浄ユニット１２やメイン配管１３内に残留し、噴出ノズルがつまるといった問題があったが、圧縮空気を噴出することで、そのような噴出ノズルのつまりを防止することができる。
このような構成とするには、例えば圧縮空気配管３２が圧縮ポンプ等に接続されており、電磁弁４１ａの切り替えによって洗浄液と圧縮空気の噴出を制御する方法等が挙げられる。
【００２３】
このように、本発明によれば、ドラム容器の洗浄を効率的且つ安定して行うことができる。
【符号の説明】
【００２４】
１０    洗浄装置
１０ａ  洗浄部
１０ｂ  洗浄液貯蔵部
１１    回転ユニット
１１ａ  回転ローラ
１１ｂ  モーター
１２    洗浄ユニット
１２ａ  内底面洗浄ユニット
１２ｂ  外周面洗浄ユニット
１２ｃ  内周面洗浄ユニット
１３    メイン配管
１４    洗浄液
１５    角度調整部
１６    ストッパー
１７    噴射ノズル
１８    洗浄領域
１８ａ  洗浄領域における長径
１８ｂ  洗浄領域における中心点
１９    重複洗浄領域
２０    ドラム容器
２０ａ  ドラム容器の中心軸
３１ａ  洗浄液供給配管
３１ｂ  洗浄液搬送配管
３２    圧縮空気配管
３３    排液用配管
４１ａ、４１ｂ、４１ｃ    電磁弁
【図１】
2015100749.tif 000003
【図２】
2015100749.tif 000004
【図３】
2015100749.tif 000005
【図４】
2015100749.tif 000006